【事件の表示】
　特願２０００−　２２２８３「印刷制御装置、印刷システム、印刷制御方法、記憶媒体」拒絶査定不服審判事件〔平成１３年　７月３１日出願公開、特開２００１−２０５８６８〕について、次のとおり審決する。
【結　論】
　本件審判の請求は、成り立たない。
【理　由】
第１　手続の経緯　
　本願は、平成１２年１月３１日の出願であって、平成１８年１１月１５日及び平成２１年１１月５日に手続補正がなされ、平成２２年２月２日付けで拒絶査定がなされ、これに対して、同年４月２８日に拒絶査定不服審判が請求されると同時に手続補正がなされたものである。
　
第２　平成２２年４月２８日付け手続補正についての補正却下の決定
　
〔補正却下の決定の結論〕
　平成２２年４月２８日付け手続補正を却下する。
　
〔理由〕
１　本件補正の内容
（１）平成２２年４月２８日付け手続補正（以下「本件補正」という。）は、特許請求の範囲及び発明の詳細な説明についてするもので、特許請求の範囲については、本件補正前の請求項１に、
　
「
印
　前記情報処理装置から入力される印刷ジョブから、前記印刷部で印刷を行うための出力画像を生成する第１の画像生成手段と、
　前記第１の画像生成手段によって１ページ分
の出
前記生成された１ページ分の出力画像に基づく１ページ分の
　前記１ページ分の出力画像の前記印刷部による印刷が終了したことを検知する印刷終了検知手段と、
　前記印刷終了検知手段が前記１ページ分の出力画像の印刷が終了したことを検知した場
合、前
と共に、前記１ページ分の出力画像の印刷の
を
　を備えることを特徴とする印刷制御装置。」とあったものを、
　
「
複数ページの印刷出力を指示する印
　前記情報処理装置から入力される印刷ジョブから、前記印刷部で印刷を行うための出力画像を生成する第１の画像生成手段と、
　前記第１の画像生成手段によって１ページ分
の前記出
、前記出力画像に対応し且つ前記出力画像より低解像度の１ページ分の
　前記１ページ分の出力画像の前記印刷部による印刷が終了したことを検知する印刷終了検知手段と、
　前記印刷終了検知手段が前記１ページ分の出力画像の印刷が終了したことを検知した場
合、該印刷された１ページ分の出力画像のページ番号及び前記印刷ジョブの印刷ジョブ名を含み且つ該検知に応じて取得された終了情報と、前記１ページ分の表示画像と、が前記情報処理装置において表示されるように、前
と、前記
と、を対応付けて
　を備えることを特徴とする印刷制御装置。」とする補正を含んでいる（「下線は審決で付した。以下同じ。）。
　
（２）本件補正後の請求項１に係る上記（１）の補正は、次のアないしエの補正からなるものである。
　ア　本件補正前の請求項１に記載した発明を特定するために必要な事項である「印刷ジョブ」について、「複数ページの印刷出力を指示する」ものであるとの限定を付加する。
　
　イ　本件補正前の請求項１に記載した発明を特定するために必要な事項である「前記第１の画像生成手段によって１ページ分の出力画像が生成されると、」における「１ページ分の出力画像」が、本件補正前の請求項１に記載した発明を特定するために必要な事項である「前記情報処理装置から入力される印刷ジョブから、前記印刷部で印刷を行うための出力画像を生成する第１の画像生成手段」における「前記印刷部で印刷を行うための出力画像」であるとの限定を「前記」と記載することにより付加する。
　
　ウ　本件補正前の請求項１に記載した発明を特定するために必要な事項である「『前記第１の画像生成手段によって１ページ分の出力画像が生成される』と、『該生成された１ページ分の出力画像』から、『第２の画像生成手段』が『生成』する『前記情報処理装置の表示部で表示可能な前記生成された１ページ分の出力画像に基づく１ページ分の表示画像』」について、「前記生成された１ページ分の出力画像」を、「前記出力画像」として、「該生成された１ページ分の出力画像」であり、かつ、「前記印刷部で印刷を行うための出力画像」であることを限定するとともに、「出力画像に基づく」は、「『該生成された１ページ分の出力画像』から、『生成』する」ですでに特定されているから、この重複した特定に代えて、その「１ページ分の表示画像」が「出力画像に対応」し且つ「前記出力画像より低解像度」であるとの限定を付加する。
　
　エ　本件補正前の請求項１に記載した発明を特定するために必要な事項である「前記印刷終了検知手段が前記１ページ分の出力画像の印刷が終了したことを検知した場合、前記１ページ分の表示画像と共に、前記１ページ分の出力画像の印刷の終了情報を前記情報処理装置に出力する印刷終了出力手段」について、「『共に』、『出力する』」を「『対応付け』て『出力する』」として限定し、また、「前記１ページ分の出力画像の印刷の終了情報」を「該印刷された１ページ分の出力画像のページ番号及び前記印刷ジョブの印刷ジョブ名を含み且つ該検知に応じて取得された終了情報」として、「『該印刷された１ページ分の出力画像のページ番号』及び『前記印刷ジョブの印刷ジョブ名』を含」むこと、「該検知に応じて取得された」ものであること、及び、その「出力」が「終了情報と、前記１ページ分の表示画像と、が前記情報処理装置において表示されるように」なされること、を限定する。
　
２　本件補正の目的
　本件補正後の請求項１に係る上記１（２）の補正は、本件補正前の請求項１に記載した発明を特定するために必要な事項を限定するものであるから、平成１４年法律第２４号改正附則第２条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物の記載
（１）原査定の拒絶の理由で引用された「本願の出願前に頒布された刊行物である特開平７−２６１９５０号公報（以下「引用例１」という。）」には、次の事項が図とともに記載されている。
　ア　「【０００１】
【産業上の利用分野】本発明は、情報処理装置の印刷装置に関り、特に出力の指示を行う情報処理装置と印刷装置間の距離が離れていて、印刷装置における実際の出力過程の状態確認が難しい場合に好適な印刷状態表示方式及び装置に関する。」
　
　イ　「【０００２】
【従来の技術】近年、パーソナルコンピュータ、ワークステーション等の情報処理装置においては、プリンタ、プロッタ等の
印刷装置を
複数の情報処理装置間で共有するシステム
これらのシステムは、
出力の指示を行う情報処理装置と印刷装置間の距離が離れ
印刷装置の動作状態を確認することが困難であるという欠点があ
印刷装置は、印刷を指示した情報処理装置にその印刷の完了を通知する機能が必要
【０００３】このような印刷状態の通知に関する機能の
従来
印刷装置が、印刷完了の通知を該印刷を指示した情報処理装置に通知するもの
印刷開始を通知する
各ページの印刷の開始や完了を通知する
これらの印刷の開始や完了を通知する時点は、印刷を指示した情報処理装置が印刷データの送出を完了した時点で
印刷装置が印刷データの印刷装置内のメモリへの描画を完了した時点である
状態通知は、状態を示す文字列を情報処理装置のディスプレイ画面の下部に表示することにより為され
　
　ウ　「【０００４】
【発明が解決しようとする課題】上記従来例においては、情報処理装置のユーザが、印刷装置での出力過程の状態を把握する場合に、以下のような問題点がある。
【０００５】従来例では、
印刷装置が印刷データの受け取りを完了した時点で、印刷完了の通知を該印刷データの印刷を指示した情報処理装置に通告し
一般に、印刷装置では、受け取ったデータの画像メモリ上への展開、給紙、印刷、排紙等の過程が必要なため、従来例では、出力装置において実際に印刷が完了するのは、印刷完了が情報処理装置に出された時点からかなり後の時間になる
印刷装置内に印刷データを一時的に貯えておくためのバッファメモリを備えている場合は、実際の印刷が完了するのは、印刷完了通知が為された時点からかなり後になる
情報処理装置のユーザは印刷完了の通知を受けた時点で印刷装置の場所に行っても、実際の印刷は完了していないことがあるという問題点
【０００６】また、印刷の開始を通知する場合も、印刷の開始が通知される時点は、実際に印刷結果の排紙が開始される時点より前になる。よって、情報処理装置のユーザは印刷開始の通知を受けた時点で印刷装置の場所に行っても、実際の印刷は開始されていないことがあるという問題点がある。例えば、多くのページ数からなる文書を印刷する場合などは、第１ページめが印刷された時点、または、ある程度のページ数の印刷が完了した時点で、用紙のサイズや印刷の位置等を確認したいことがあるが、従来例では印刷の開始や終了を正確に知ることは難しかった。
【０００７】また、これらの実施例では、印刷過程の状態は、
文字列のみで通知されるため、印刷装置で実際に印刷さている状態
を、該印刷を指示した情報処理装置側でユーザが確認することは難しかった
【０００８】このように、従来の印刷状態表示では、
印刷装置における排紙動作と情報処理装置への印刷状態通知が時間的に正確に一致していないという問題点があった。また、印刷装置で実際に印刷された用紙の状態を、情報処理装置側で正確に知ることができないという問題点があった。
目的は、かかる従来の問題点を解決し、印刷装置における印刷出力の過程の状態を正確に情報処理装置に通知し、印刷を指示したユーザが、印刷結果の確認を情報処理装置側において容易かつ正確に行なえるようにする
　
　エ　「【００１０】
【課題を解決するための手段】上記目的は、
中央処理装置と記憶装置と入力装置と出力装置と対印刷装置の通信装置とから構成されている情報処理装置と、中央処理装置と記憶装置と出力装置と対情報処理装置の通信装置とから構成されてい印刷装置からなるシステムにおいて、
【００１１】まず、
印刷装置に
【００１２】（１）
印刷された用紙における各葉毎の排紙動作状態（排紙開始〜排紙終了）
印刷動作状態
、印刷イメージを取得する印刷動作状態検出手段
印刷中の印刷を指示したユーザが利用中の情報処理装置に対して、排紙動作状態、印刷動作状態、印刷イメージを、リアルタイムに伝送する状態情報伝送手段
【００１３】次に、
情報処理装置に
【００１４】（１）
印刷装置より、排紙動作状態、印刷動作状態、印刷イメージを受け取る状態情報受信手段
【００１５】（２）
排紙動作状態、印刷動作状態、印刷イメージから印刷装置の排紙動作および排紙された用紙における印刷イメージをリアルタイムに表示する印刷状態表示手段
　
　オ　「【００１６】
【作用】
印刷装置において、情報処理装置におけるユーザの指示に基づいて印刷が行われたならば、印刷状態検出手段により、該印刷の排紙動作状態、印刷動作状態、印刷イメージを取得する。そして、それらの状態を状態伝送手段により、該印刷を指示したユーザが利用中の情報処理装置にリアルタイムに伝送する。該情報処理装置は、状態情報受信手段により、それらの情報を印刷装置から受け取り、印刷状態表示手段により、該印刷装置の排紙動作および排紙された用紙における印刷イメージをリアルタイムに表示する
【００１７】このように、
情報処理装置において印刷装置おける印刷動作の状態を排紙動作に連動してリアルタイムに表示することにより、印刷装置の排紙動作と情報処理装置への印刷状態通知を時間的に正確に一致させ、また、印刷装置で実際に印刷された状態を、情報処理装置側で知ることができ、印刷装置における印刷出力の過程の状態を正確に情報処理装置に通知することができる
　
　カ　「【００１８】
【実施例】以下、本発明の実施例を図面を用いて説明する。本実施例では、情報処理装置において文書の印刷を指示し、該文書を印刷装置で印刷する場合について述べる。
【００１９】まず、本実施例のシステム構成について図１を用いて説明する。１００は文書データの印刷を指示する情報処理装置であり、２００は該指示された文書データを印刷する印刷装置である。情報処理装置１００、印刷装置２００は、ＬＡＮ（Ｌｏｃａｌ  Ａｒｅａ  Ｎｅｔｗｏｒｋｓ）１０で互いに接続されていて、文書データ等を伝送する。また、プリントサーバ２０を用いる実施例もある。この場合、情報処理装置１００において印刷を指示された文書データは、一旦、プリントサーバ２０の記憶装置に格納され、順次印刷装置２００で印刷される。
【００２０】次に、図２において、本発明に係る
情報処理装置１００
中央処理ユニット
キーボード１６０、マウス１６５
ディスプレイ装置（ＣＲＴ）
【００２１】次に、図３において、本発明に係る
印刷装置２００
２１０〜２７０はそれぞれ情報処理装置１００の構成要素１１０〜１７０と同等
文書データの印刷を行うプリンタ
印刷状態検出装置４００を備えている
プリンタ１８０における排紙動作状態（排紙開始〜排紙終了）、印刷動作状態（サイズ、印刷方向、印刷位置）、印刷イメージを検出する状態情報入出力機構（ＰＣ）
【００２２】次に、図４において、印刷装置２００のプリンタ１９０に備えられている状態検出装置４００の機構について説明する。状態検出装置４００は、プリンタ１９０における用紙４０の排出部４４０付近に設けられる。そして、排紙動作状態（排紙開始〜排紙終了）、印刷動作状態（用紙サイズ、用紙方向）、用紙４０に印刷された実際の印刷イメージを検出する。４１０は排紙開始と排紙終了を検出する光センサであり、発光ダイオード４１１とフォトトランジスタ４１２から構成される。用紙の通過により発光ダイオード４１１からの光が用紙４０で遮断され、その光の遮断開始をフォトトランジスタ４１２で検出して、排紙開始を検出する。一方、受光開始を検出して、排紙完了を検出する。４２０は用紙サイズ／イメージセンサであり、蛍光燈４２１とＣＣＤセンサ４２２から構成される。蛍光燈４２１からの光が用紙４０の通過により遮断されることにより、該用紙４０の幅と、該用紙４０に印刷された印刷イメージを検出する。４３０は送紙センサであり、用紙４０の送紙量を検出する。これらの検出された情報は、状態情報入出力機構１９５を介して、中央処理ユニット１１０で動作する処理プログラムに伝達される。ここでは、状態の情報の検出に、排紙の開始と終了を検出する光センサ４１０、イメージセンサ４２０、送紙センサ４３０を用いたが、光センサ４１０は、イメージセンサ４２０で代用して光の遮断を検出することにより、排紙の開始と終了を検出することができる。また、用紙４０のを送紙する制御において、送紙量を知ることができれば、送紙センサ４３０は不要である。また、排紙の開始と終了のみを検出する場合には、光センサ４１０のみを用い、コストの高いイメージセンサ４２０を省略することができる。
【００２３】次に、印刷データのデータ構造について、図５を用いて説明する。
印刷データ５００は、
プリンタ１９０で印刷する内容が記述されている
印刷データの内容を表現する印刷データ名称
印刷内容を示す印刷データ本体
【００２４】次に、文書データのデータ構造について、図６を用いて説明する。文書データ５５０は、情報処理装置１００の記憶装置内に格納されているデータである。５６０は文書データの内容を表現する文書データ名称であり、５７０は文書内容を示す文書データ本体である。
文書データ５５０は、
印刷データ５００に変換
【００２５】次に、以上で述べた構成のシステムにおける印刷状態表示処理について説明する。
【００２６】まず、本実施例の印刷状態表示処理の概要について、図７を用いて説明する。印刷装置２００は、印刷データ５００を情報処理装置１００から受信すると、印刷処理７００が印刷状態検出処理８００を起動し、該印刷状態検出処理８００が、該情報処理装置１００に対して印刷開始通知を伝送する。該印刷開始通知を受信した情報処理装置１００は、印刷状態表示処理１０００が、ディスプレイ装置１７０上のディスプレイ画面上に、後で述べる印刷状態表示ウィンドウ１０１０を表示する。そして、該印刷装置２００の印刷処理７００が印刷の処理を行うと、プリンタ１９０の排紙動作に従って印刷状態検出処理８００が印刷状態情報を該情報処理装置１００の印刷状態表示処理１０００に伝送する。該印刷状態情報を受信した情報処理装置１００は、印刷状態表示処理１０００が該印刷状態情報に従って、印刷装置２００における排紙動作にリアルタイムに連動した印刷状態表示を該印刷状態表示ウィンドウ１０１０内に表示する。そして、該印刷装置２００の印刷状態検出処理８００が、印刷データ５００の印刷における最後の排紙の終了を検出したならば、該情報処理装置１００に対して印刷終了通知を伝送する。該印刷終了通知を受信した情報処理装置１００の印刷状態表示処理１０００は、印刷状態表示ウィンドウ１０１０を消去する。
【００２７】次に、印刷装置２００における印刷処理と印刷状態検出処理について、図８を用いて詳細に説明する。
印刷データを情報処理装置から受信した印刷装置２００は、
印刷処理７００を起動
印刷状態検出処理８００を起動する
【００２８】印刷処理７００は、印刷データ５００を参照し、発信元アドレス５１０と印刷データ名称５３０を印刷状態検出処理８００に通知する（７２０）。その後、
印刷処理７００は、
印刷データを画像メモリに展開し（７３０）、機械機構を制御しながら、該画像メモリの内容を用紙に印刷する（７４０）。印刷処理７００が、印刷データ５００中に、印刷の終了を示すデータを検出し、該印刷データの印刷を行うための機械機構の制御を終了したならば、印刷状態検出処理８００に印刷終了を通知する
【００２９】
印刷状態検出処理８００は、印刷処理７００から印刷データ５００の発信元アドレス５１０と印刷データ名称５３０を取得し、該発信元アドレス５１０の情報処理装置１００に対して印刷開始通知と該印刷データ名称を伝送する（８１０）。次に、印刷状態検出処理８００は、状態情報入出力機構１９０を監視し、該機構１９０を介して排紙開始が検出されたならば（８２０）、同じく印刷状態検出装置４００で検出された用紙幅、印刷イメージ、送紙長を（８３０）、排紙完了が検出されるまで（８４０）、前述の情報処理装置１００に伝送し続ける（８２０〜８３０）。これらの処理８２０〜８３０は、印刷処理７００から印刷終了が通知されるまで（８５０）、各用紙の排紙毎に繰り返される。印刷処理７００から印刷終了が通知されたならば（８５０）、情報処理装置１００に対して印刷終了が通知される
【００３０】次に、情報処理装置１００における印刷状態表示処理について、図９を用いて説明する。ユーザが記憶装置（１３０または１４０）内に格納されている文書データ５５０の印刷を指示したならば、オペレーティングシステムプログラム６０が印刷データ生成処理９００を起動する。印刷データ生成処理９００は、まず、印刷状態表示処理１０００を起動する（９１０）。そして、文書データ５５０を印刷装置２００の印刷処理７００が解釈できる形式の印刷データ５００へ変換し、印刷装置２００へ伝送する（９２０）。一つの文書データ５５０は、一つ以上の印刷データ５００に変換される。一つの文書データ５５０から生成される最後の印刷データ５００の印刷データ本体５４０の最後には、印刷データ５００の終了を示すデータガ記述される。文書データ名称５６０は印刷データ名称５３０へ複写する。
【００３１】印刷データ生成処理９００により起動された印刷状態表示処理１０００は、印刷装置２００の印刷状態検出処理８００から印刷開始通知と印刷データ名称を受信したならば（１０１０）、ディスプレイ装置１７０の表示画面上に、図１０、図１１、または図１２に示す印刷状態表示ウィンドウ１０１０を表示する。既に印刷状態表示ウィンドウ１０１０がディスプレイ装置１７０の表示画面上に表示されている場合でも、印刷状態表示処理１０００は一つの文書データ５５０の印刷毎に別のタスクとして起動されるので、該印刷状態表示ウィンドウ１０１０を、図１１に示すように別個に新たに表示する。次に、該印刷状態表示ウィンドウ１０１０内に該印刷データ名称１０３０を表示する。また、印刷装置に印刷の終了を指示する印刷終了ボタン１０２０を表示する。そして、印刷装置２００から、排紙開始、用紙幅、印刷イメージ、送紙長、排紙完了のデータを、印刷装置２００における各排紙毎に、印刷終了のデータを受信するまで繰り返し受信する（１０３０〜１０８０）。まず、排紙開始と用紙幅のデータを受信したならば（１０３０）、印刷状態表示ウィンドウ中に、該用紙幅に合わせた用紙端のイメージを、図１０（ａ）のように表示する（１０４０）。次に、印刷イメージと送紙長のデータを受信したならば（１０５０）、該送紙長に従って、印刷イメージのデータを基にして、印刷装置２００から排出される用紙のイメージを、図１０（ｂ）のように表示していく（１０６０）。そして、排紙終了のデータを受信したならば（１０７０）、用紙端のイメージを、図１０（ｃ）のように表示する（１０８０）。なお、
複数ページの印刷が行われ、排紙の開始・終了が繰り返される場合は、
各ページの印刷イメージを繰り返し重ね合わせて表示する
　
　キ　「【００３２】以上の実施例では、情報処理装置が指示した印刷を実行中の印刷装置が、排紙動作の状態と、印刷結果として排紙された用紙の印刷イメージを、該印刷を指示した情報処理装置にリアルタイムに伝送し、該情報処理装置において、該排紙動作の状態と印刷イメージをリアルタイムに表示することにより、印刷装置の排紙動作と情報処理装置への印刷状態通知を時間的に正確に一致させ、また、印刷装置で実際に印刷された状態を正確に、情報処理装置側に通知することにより、ユーザは印刷結果の状態を、情報処理装置側において正確かつ容易に確認することができる。
【００３３】また、本実施例では、印刷装置としてプリンタを用いているが、一般のファクシミリ装置でも実現可能である。ファクシミリ装置では、イメージセンサと印刷機構を当初から備えている。よって、用紙の印刷出力と同時にその用紙のイメージをイメージセンサを用いて読み取り、発信元に返送して、発信元で印刷状態を表示することにより、ファクシミリ送信の場合も上述の実施例と同様な印刷状態表示が可能である。」
　
　ク　「【００３４】
【発明の効果】以上述べたように、本発明によれば、情報処理装置が指示した印刷を実行中の印刷装置が、排紙動作の状態と、印刷結果として排紙された用紙の印刷イメージを、該印刷を指示した情報処理装置にリアルタイムに伝送し、該情報処理装置において、該排紙動作の状態と印刷イメージをリアルタイムに表示することにより、印刷装置の排紙動作と情報処理装置への印刷状態通知を時間的に正確に一致させ、また、印刷装置で実際に印刷された状態を正確に、情報処理装置側に通知することにより、ユーザは印刷結果の状態を、情報処理装置側において正確かつ容易に確認することができる。」
　
　ケ　上記カの「印刷処理７００」及び「印刷状態検出処理８００」はいずれもプログラムであることが明らかであるので、上記アないしクから、引用例１には、次の発明が記載されているものと認められる（ここで、混在している「印刷出力」、「印刷」及び「出力」の用語について、同じ意味で使用されている記載は「印刷出力」に統一した。）。
　
「中央処理ユニットと記憶装置とキーボードなどの入力装置とディスプレイ装置などの出力装置と対印刷装置の通信装置とから構成されている情報処理装置と、
　中央処理ユニットと記憶装置とキーボードなどの入力装置とディスプレイ装置などの出力装置と対情報処理装置の通信装置と文書データの印刷を行うプリンタとから構成されている印刷装置と
　からなるシステムにおいて、
　これらのシステムは、印刷出力の指示を行う情報処理装置と印刷装置間の距離が離れていて、印刷装置の動作状態を確認することが困難であるという欠点があり、印刷装置に、印刷出力を指示した情報処理装置にその印刷出力の完了を通知する機能が必要であるところ、従来から、印刷装置が、印刷完了や印刷開始や各ページの印刷の開始や完了などの印刷状態通知を、該印刷出力を指示した情報処理装置に通知するものはあったが、
　これらの印刷の開始や完了などの印刷状態通知を通知する時点は、印刷出力を指示した情報処理装置が、文書データから変換された、印刷データの内容を表現する印刷データ名称及び印刷内容を示す印刷データ本体からなり、前記プリンタで印刷する内容が記述されている印刷データの送出を完了した時点や印刷装置が前記印刷データの印刷装置内のメモリへの描画を完了した時点であったので、一般に、印刷装置では、受け取ったデータの画像メモリ上への展開、給紙、印刷、排紙等の過程が必要であり、印刷装置内に印刷データを一時的に貯えておくためのバッファメモリを備えているため、従来例では、印刷装置において実際に印刷が完了するのは、印刷完了通知が情報処理装置に出された時点からかなり後になり、情報処理装置のユーザは印刷完了の印刷状態通知を受けた時点で印刷装置の場所に行っても実際の印刷は完了していないことがあり、印刷装置における排紙動作と情報処理装置への印刷状態通知が時間的に正確に一致していないという問題点があり、
　また、これらの印刷状態通知は、状態を示す文字列を情報処理装置のディスプレイ画面の下部に表示することにより為されていたので、文字列のみで通知されるため、印刷装置で実際に印刷されている状態を、該印刷出力を指示した情報処理装置側でユーザが確認することは難しく、印刷装置で実際に印刷された用紙の状態を、情報処理装置側で正確に知ることができないという問題点もあったので、
　かかる従来の問題点を解決し、印刷装置における印刷出力の過程の状態を正確に情報処理装置に通知し、印刷を指示したユーザが、印刷結果の確認を情報処理装置側において容易かつ正確に行なえるようにすることを目的として、
　前記印刷装置に、
　　印刷された用紙における各葉毎の排紙開始及び排紙終了を含む排紙動作状態、印刷動作状態、印刷イメージを取得する印刷動作状態検出手段と、
　　印刷中の印刷を指示したユーザが利用中の情報処理装置に対して、排紙動作状態、印刷動作状態、印刷イメージを、リアルタイムに伝送する状態情報伝送手段と、
　前記プリンタにおける排紙動作状態、印刷動作状態、印刷イメージを検出する状態情報入出力機構と、
　を設け、
　前記プリンタに、用紙幅、印刷イメージ、送紙長を検出する印刷状態検出装置を備え、
　前記情報処理装置に、
　　印刷装置より、排紙動作状態、印刷動作状態、印刷イメージを受け取る状態情報受信手段と、
　　排紙動作状態、印刷動作状態、印刷イメージから印刷装置の排紙動作および排紙された用紙における印刷イメージをリアルタイムに表示する印刷状態表示手段と、
　を設け、
　前記印刷装置は、前記情報処理装置から印刷データを受信すると、印刷処理プログラム及び印刷状態検出処理プログラムを順次起動し、前記印刷処理プログラムが、受信した印刷データを画像メモリに展開し、前記プリンタを制御しながら、該画像メモリの内容を用紙に印刷させ、前記印刷状態検出処理プログラムは、前記印刷処理プログラムから印刷データの発信元アドレスと印刷データ名称を取得し、該発信元アドレスの情報処理装置に対して印刷開始通知と該印刷データ名称を伝送し、次に、前記状態情報入出力機構を監視し、各用紙の排紙毎に、用紙の排紙開始の検出から該用紙の排紙完了の検出までの間前記印刷状態検出装置で検出された用紙幅、印刷イメージ、送紙長を前述の情報処理装置に伝送し続ける処理を、前記印刷処理プログラムから印刷終了が通知されるまで繰り返し、前記印刷処理プログラムは、印刷データ中の印刷の終了を示すデータを検出し、該印刷データの印刷を行うための前記プリンタの制御を終了したならば、前記印刷状態検出処理プログラムに印刷終了を通知し、前記印刷状態検出処理プログラムは、印刷処理プログラムから印刷終了が通知されたならば、前記情報処理装置に対して印刷終了を通知するようになして、
　前記印刷装置において、前記情報処理装置におけるユーザの指示に基づいて印刷が行われたならば、前記印刷動作状態検出手段により、該印刷の排紙動作状態、印刷動作状態、印刷イメージを取得して、それらの状態を前記状態情報伝送手段により、該印刷を指示したユーザが利用中の前記情報処理装置にリアルタイムに伝送し、該情報処理装置は、前記状態情報受信手段により、それらの情報を前記印刷装置から受け取り、前記印刷状態表示手段により、該印刷装置の排紙動作および排紙された用紙における印刷イメージをリアルタイムに表示することにより、前記情報処理装置において前記印刷装置おける印刷動作の状態を排紙動作に連動してリアルタイムに表示でき、ここで、複数ページの印刷が行われ、排紙の開始・終了が繰り返される場合は、各ページの印刷イメージを繰り返し重ね合わせて表示でき、前記印刷装置の排紙動作と前記情報処理装置への印刷状態通知を時間的に正確に一致させることができ、また、前記印刷装置で実際に印刷された状態を、前記情報処理装置側で知ることができ、前記印刷装置における印刷出力の過程の状態を正確に前記情報処理装置に通知することができるようにしたシステム。」（以下「引用発明」という。）
　
（２）原査定の拒絶の理由で引用された「本願の出願前に頒布された刊行物である特開平１１−３５３１３１号公報（以下「引用例２」という。）」には、次の事項が図とともに記載されている。
　ア　「【００４８】
返信用情報ＲＤ
データ領域ＲＤ３には、ドキュメント名が格納されている
　
　イ　「【００６４】一方、受信したデータが初期化要求ではない場合は、ジョブ処理情報検出部４からのジョブ処理情報を受信した場合なので、通知されたジョブ処理情報からジョブ処理状態を抽出し（Ｓ３５）、このジョブ処理状態に応じた処理メッセージをディスプレイ装置に表示させる。
処理メッセージとしては、
１ページ目の印刷が終了しました
印刷ジョブの処理状態を監視し、処理メッセージをディスプレイ装置に表示させる
　
　ウ　「【００７２】第７に、
各印刷ページ毎に返信用情報を発行するため、印刷ジョブの進捗状況をページ単位で監視する
　
　エ　「【００９１】モード選定部６２は、プリンタドライバ２から通知されたドキュメントの属性情報に基づいて、複数用意された発行モードの中からいずれか一つのモードを選択するようになっている。例えば、総ページ数が所定のページ数よりも多い場合は、印刷ジョブの処理状態を各ページ毎に監視せずに、複数ページを一つの単位として監視することができる。また、カラー印刷のように印刷時間がかかる場合は、ページ数の多少に関わらず各ページ毎に返信用情報を発行させて監視精度を高めてもよい。あるいは、通信トラフィックを検出し、
トラフィックが増加している場合は、返信用情報をいわゆる間引き発行させる
　
　オ　「【０１０４】８．第８の実施の形態
次に、
図１９
ジョブ処理状態として、印刷ジョブの進行状況を示すための処理メッセージを文字コード情報として格納した
　
　カ　「【０１１１】返信タイミング指定命令は、印刷データのうち印刷動作に関する印刷コマンド（以下「動作コマンド」とも言う）の前に位置するようにして発行される。印刷動作に関連する印刷コマンドとしては、例えば、改頁、給紙、改行、復帰、排紙等を挙げることができる。この印刷コマンドの後に位置して返信用情報が発行される。即ち、返信タイミング指定命令、印刷コマンド、返信用情報の順番でプリンタ１１０の解釈・主制御部１１２に解釈されるように、発行位置が定められている。プリンタ１１０は、返信タイミング指定命令を受信した場合には、返信タイミング指定命令に続く動作コマンドが
エンジン制御部１１４によって処理されるのを確認してから返信用情報を返信する
　
　キ　「【０１２１】受信データが印刷データの場合は、該印刷データを解釈し（Ｓ１１４）、通知要求フラグがセットされているか否かを判定する（Ｓ１１５）。通知要求フラグがセットされている場合は、エンジン制御部１１４に対し終了通知を依頼し（Ｓ１１６）、通知待ちフラグをセットする（Ｓ１１７）。通知待ちフラグは、
エンジン制御部１１４からの終了通知を待ってジョブ処理情報を返信させる
　
　ク　「【０１２９】図２８は、
改頁コマンドについて
【０１３０】まず、通信処理部１１１が受信した印刷データは（Ｔ２１）、解釈・主制御部１１２により解釈される（Ｔ２２）。解釈・主制御部１１２は、イメージ生成部１１３にイメージデータの生成を依頼する（Ｔ２３）。
イメージ生成部１１３がイメージデータを生成すると（Ｔ２４）、解釈・主制御部１１２はエンジン制御部１１４に印刷を依頼する（Ｔ２５）。これにより、エンジン制御部１１４は、印刷を開始する
【０１３１】印刷実行中に、返信タイミング指定命令（ＴＣ）が通信処理部１１１により受信され（Ｔ３１）、解釈・主制御部１１２により解釈される（Ｔ３２）。解釈・主制御部１１２は、通知要求フラグをセットし、終了通知の依頼を開始する（Ｔ３３）。
【０１３２】返信タイミング指定命令に続いて動作コマンドが受信されると（Ｔ３４）、解釈・主制御部１１２は動作コマンドを解釈し（Ｔ３５）、エンジン制御部１１４に対して、動作コマンドの実行依頼及び該動作コマンドの処理を終了したときの終了通知とを依頼する（Ｔ３６）。この依頼は、エンジン制御部１１４により受領される（Ｔ３７）。
【０１３３】動作コマンドに続いて返信用情報が受信されると（Ｔ３８）、解釈・主制御部１１２は、返信用情報を解釈し（Ｔ３９）、通知要求フラグをリセットして終了通知の依頼を終了する（Ｔ４０）。また、解釈・主制御部１１２は、返信用情報からジョブ処理情報を中心して返信準備を行い（Ｔ４１）、
エンジン制御部１１４からの終了通知を待つ
【０１３４】一方、エンジン制御部１１４は、Ｔ２６で依頼された印刷を行っており、
所定の位置で改頁を実行して（Ｔ４３）印刷を終了する
【０１３５】解釈・主制御部１１２は、
エンジン制御部１１４からの終了通知を受領すると（Ｔ４５）、待機させていたジョブ処理情報の返信を通信処理部１１１に依頼する（Ｔ４６）。依頼を受けた通信処理部１１１は、ジョブ処理情報を返信させる
　
（３）原査定の拒絶の理由で引用された「本願の出願前に頒布された刊行物である特開２０００−２０２７０号公報（以下「引用例３」という。）」には、次の事項が図とともに記載されている。
　ア　「【０００７】
【発明が解決しようとする課題】しかしながら、上記従来例では、ネットワークを介して印刷する場合に、印刷結果を示す通知を行わないか、又は、
印刷結果のイメージ画像を印刷ジョブの発行元に送信していないため
問題点が生じる
【０００８】（ａ）印刷結果を示す通知を行わないため、印刷後に印刷画像を管理するリレーショナルデータベース等に問い合わせを行う必要がある。
【０００９】（ｂ）印刷処理の結果( 成功か失敗かを示す処理のステータス、印刷枚数、印刷時刻等の情報) を確認するのみで、
実際の印刷結果を目視で確認する
【００１０】（ｃ）リモート印刷の場合、
印刷ジョブの発行元とネットワークプリンタとは、距離が離れた場所にあることが多く、印刷結果を目視により確認するためには、ネットワークプリンタまで移動して印刷結果を確認する
しかなく、このため移動時間または送信時間を要する
【００１１】（ｄ）所望の印刷結果と異なる場合、ネットワークプリンタが作成したラスタ画像データを再利用することができない。
【００１２】そこで、本発明の
第１の目的は、印刷等のジョブ発行元で、目視による印刷等の出力結果の確認を迅速かつ容易に行うこと
　
　イ　「【００１４】
【課題を解決するための手段】本発明の画像形成装置は、外部装置から受信した印刷ジョブを解析する解析手段と、前記解析手段による解析結果に基づいて出力画像を生成し、印刷部に該出力画像を出力する画像処理手段と、前記
画像処理手段により生成された出力画像をフォーマット変換し、変換された画像ファイルを前記外部装置から取得可能
【００１５】また、前記外部装置とは、ネットワーク及びインターネットを介して通信可能である。
【００１６】また、前記外部装置から受信した印刷ジョブに基づいて、正常に印刷処理できたか否かを判断する判断手段と、前記判断手段による印刷結果をステータス情報として作成するステータス情報作成手段とを更に有し、前記ステータス情報は外部装置から取得可能に保持する。
【００１７】また、前記ステータス情報作成手段により生成された印刷結果を示すステータス情報を、該当する印刷ジョブの依頼元に通知する通知手段を更に有する。」
　
　ウ　「【００４３】（第１の発明）第１の発明は、印刷ジョブを、印刷クライアントであるホストコンピュータ等の印刷ジョブ発行元と印刷サーバであるネットワークプリンタ等の印刷ジョブ発行先との間で送受信を行うシステムにおいて、
ラスタ画像データから印刷結果を表示する印刷結果表示データを作成
　
　エ　「【００７７】１０６は、印刷出力用のラスタ画像データの画像フォーマットを印刷ジョブを依頼したクライアントで視覚的に把握できるように、クライアントのアプリケーションに適したフォーマットに変換し、保存する画像データ管理部である。画像フォーマットとしては、ＪＰＥＧ画像フォーマットやＰＤＦ画像フォーマットが適している。また、画像データ管理部は、画像フォーマット変換の際に、ＹＭＣＫのカラー属性であるラスタ画像データをＲＧＢのカラー属性に色変換する必要もある。」
　
　オ　「【０１０８】ステップＳ４０６では、作成した印刷データであるラスタ画像をプリンタ（図１の印刷部１０４）に送出する。
【０１０９】ステップＳ４０７において、正常に印刷された場合は、ラスタ画像変換手段（６）が印刷で使用したラスタ画像データに基づいてＹＭＣＫのカラー属性をＲＧＢのカラー属性に変換し、ＪＰＥＧ画像フォーマットにフォーマット変換して、印刷結果を表示する画像データを作成し、画像データ公開手段（８）により特定のクライアントに対して公開する。また、正常に印刷されなかった場合は、エラー情報作成手段（１２）は、上記ステータス情報からエラーを切り出し、フォーマット変換してエラー情報を作成し、公開する。」
　
　カ　「【０１４７】上記実施例で説明しているように、
ラスタ画像変換手段（６）は、印刷ジョブに基づいて生成されたラスタ画像のすべてのページをフォーマット変換し、画像データ管理部１０６の画像データ記憶手段（７）に格納し、特定のクライアントに公開
　
　キ　「【０１５５】上記印刷プログラムは、フォームの名前“inputstring”に対応づけられて記憶された文字列“Hello World.”をラスタ画像イメージに生成し、上記印刷部１０４に送る。
【０１５６】さらに、フォームの名前“address”に対応づけられて記憶された文字列“taro@foo.co.jp”から“＠”文字によりユーザ名“taro”及びホスト名“foo.co.jp”を切り出し、生成した該ラスタ画像イメージをＪＰＥＧ画像フォーマットに変換して、ネットワークリソース識別子としてＵＲＬ“http://www.foo.co.jp/taro/print.jpg”で参照可能な形態で保存し、公開する。
【０１５７】上記通知データ作成部１０５は、上記印刷ステータス情報と上記ＵＲＬを含むメッセージを作成し、上記フォームの名前“address”に対応づけられて記憶された電子メールのアドレス“taro@foo.co.jp”宛てに通知する。」
　
　ク　「【０１６２】即ち、図５のステップＳ４０７、及び図６のステップＳ５０４において、まず印刷ジョブを解析して依頼元のアドレスを切り出し、該アドレスがＬＡＮネットワーク１０９を介して通信されるクライアントか、インターネットを介してＷＷＷサーバ１０７より受信した印刷ジョブかを判断する。この判断の結果、ネットワークのクライアントから受信された印刷ジョブであると判断された場合は、ラスタ画像データを削除する。またこの判断の結果、インターネットを介した印刷ジョブと判断された場合は、
印刷データを印刷部１０４で排紙した後にラスタ画像データをフォーマット変換し、画像データ管理部１０６に保持し、印刷ジョブの依頼元のクライアントに公開
　
４　対比
　本願補正発明と引用発明とを対比する。
（１）引用発明の「ページ」、「印刷出力」、「指示」、「印刷データ」、「送出」、「情報処理装置」、「対情報処理装置の通信装置とから構成されている」、「文書データの印刷を行うプリンタ」、「前記印刷処理プログラムが、受信した印刷データを画像メモリに展開し、前記プリンタを制御しながら、該画像メモリの内容を用紙に印刷させ」、「印刷」、「『印刷処理プログラム』を備え、『中央処理ユニット』、『記憶装置』、『入力装置』、『出力装置』、『通信装置』、『印刷動作状態検出手段』、『状態情報伝送手段』及び『状態情報入出力機構』を含む『印刷装置』の構成」、「『印刷装置』が『情報処理装置』から『受信』する『印刷データ』」、「『プリンタを制御しながら、該画像メモリの内容を用紙に印刷させ』るため『受信した印刷データを画像メモリに展開』する」、「画像メモリの内容」、「印刷処理プログラム」、「『情報処理装置』を構成する『ディスプレイ装置などの出力装置』」、「リアルタイムに表示する」、「各ページの印刷イメージ」、「『各用紙の排紙毎に、用紙の排紙開始の検出から該用紙の排紙完了の検出までの間前記印刷状態検出装置』で『印刷イメージ』を『検出』」、「『プリンタ』、『印刷状態検出装置』、『状態情報入出力機構』及び『印刷動作状態検出手段』」、「『状態情報入出力機構』及び『印刷動作状態検出手段』」、「『印刷データ』の『印刷データ名称』」、「『情報処理装置』に『伝送』」及び「『状態情報伝送手段』及び『印刷状態検出処理プログラム』」は、それぞれ、本願補正発明の「ページ」、「印刷出力」、「指示」、「印刷ジョブ」、「発行」、「情報処理装置」、「情報処理装置と通信可能」、「印刷部」、「出力画像を出力」、「印刷」、「印刷制御装置」、「情報処理装置から入力される印刷ジョブ」、「印刷部で印刷を行うための出力画像を生成する」、「出力画像」、「第１の画像生成手段」、「情報処理装置の表示部」、「表示可能」、「１ページ分の表示画像」、「１ページ分の表示画像を生成する」、「第２の画像生成手段」、「印刷終了検知手段」、「印刷ジョブの印刷ジョブ名」、「情報処理装置に出力」及び「印刷終了出力手段」に相当する。
　
（２）引用発明の「情報処理装置」は、複数ページの印刷も含み得る印刷出力の指示を行うものであって、文書データから変換された、「印刷ジョブ（印刷データ）」の内容を表現する印刷データ名称及び印刷内容を示す印刷データ本体からなり、前記プリンタで印刷する内容が記述されている「印刷ジョブ」を送出するものであるから、本願補正発明の「情報処理装置」と、「複数ページの印刷出力を指示する印刷ジョブを発行する」点で一致する。
　
（３）引用発明において、「対情報処理装置の通信装置」を含んで構成されている「印刷装置」は、「印刷処理プログラム」を起動し、該「印刷処理プログラム」が、受信した印刷データを画像メモリに展開し、前記「印刷部（プリンタ）」を制御しながら、該「出力画像（画像メモリの内容）」を用紙に印刷させるものであるから、引用発明の「印刷制御装置（『印刷処理プログラム』を備え、『中央処理ユニット』、『記憶装置』、『入力装置』、『出力装置』、『通信装置』、『印刷動作状態検出手段』、『状態情報伝送手段』及び『状態情報入出力機構』を含む『印刷装置』の構成）」と本願補正発明の「印刷制御装置」とは、「情報処理装置と通信可能」である点及び「印刷部に出力画像を出力して印刷を行わせる」点で一致する。
　
（４）引用発明の「第１の画像生成手段（印刷処理プログラム）」は、印刷装置が「情報処理装置」からの「印刷ジョブ（印刷データ）」を「入力（受信）」すると起動し、該「入力され」た「印刷ジョブ」を画像メモリに展開し、「印字部（プリンタ）」を制御しながら、該「出力画像（画像メモリの内容）」を用紙に印刷させるから、本願補正発明の「第１の画像生成手段」と、「前記情報処理装置から入力される印刷ジョブから、前記印刷部で印刷を行うための出力画像を生成する」点で一致する。
　
（５）引用発明において、前記「第１の画像生成手段（印刷処理プログラム）」が、前記「情報処理装置」から入力される「印刷ジョブ」から、前記「第２の画像生成手段（プリンタ）」で印刷を行うための「出力画像」を生成し、前記「第２の画像生成手段（プリンタ）」を制御しながら、該「出力画像」を用紙に印刷させると、前記「印刷終了出力手段（印刷状態検出処理プログラム）」は、前記「第１の画像生成手段」から「印刷ジョブ」の発信元アドレスと「印刷ジョブの印刷ジョブ名（印刷データ名称）」を取得し、該発信元アドレスの「情報処理装置」に対して印刷開始通知と該「印刷ジョブ名」を「出力（伝送）」し、次に、前記「第２の画像生成手段（状態情報入出力機構）」を監視し、各用紙の排紙毎に、用紙の排紙開始の検出から該用紙の排紙完了の検出までの間前記「第２の画像生成手段（印刷状態検出装置）」で検出された用紙幅、印刷イメージ、送紙長を前述の「情報処理装置」に伝送し続ける処理を、前記印刷処理プログラムから印刷終了が通知されるまで繰り返し、前記印刷処理プログラムは、「印刷ジョブ」中の印刷の終了を示すデータを検出し、該「印刷ジョブ」の印刷を行うための前記「第２の画像生成手段（プリンタ）」の制御を終了したならば、前記印刷状態検出処理プログラムに印刷終了を通知し、前記「印刷終了出力手段（印刷状態検出処理プログラム）」は、印刷処理プログラムから印刷終了が通知されたならば、前記「情報処理装置」に対して印刷終了を通知するようになされているから、「第２の画像生成手段」で印刷を行うための「出力画像」が前記「第１の画像生成手段」によって１ページ生成されると、該生成された１ページ分の「出力画像」は用紙に印刷されて印刷イメージとなり、この用紙における印刷イメージは、複数ページの印刷が行われ、排紙の開始・終了が繰り返される場合は、各用紙の排紙毎に、用紙の排紙開始の検出から該用紙の排紙完了の検出までの間前記「第２の画像生成手段」で検出されて前述の「情報処理装置」に伝送し続けられ、ディスプレイ装置などの出力装置と対印刷装置の通信装置とから構成されている前記「情報処理装置」において、「１ページ分の表示画像（各ページの印刷イメージ）」を繰り返し重ね合わせて前記ディスプレイ装置などの出力装置に表示されるといえる。
　したがって、引用発明の「第２の画像生成手段（プリンタ、印刷状態検出装置、状態情報入出力機構）」と本願補正発明の「前記第１の画像生成手段によって１ページ分の前記出力画像が生成されると、該生成された１ページ分の出力画像から、前記情報処理装置の表示部で表示可能な、前記出力画像に対応し且つ前記出力画像より低解像度の１ページ分の表示画像を生成する第２の画像生成手段」とは、「前記第１の画像生成手段によって１ページ分の前記出力画像が生成されると、該生成された１ページ分の出力画像から、前記情報処理装置の表示部で表示可能な、前記出力画像に対応する１ページ分の表示画像を生成する」点で一致する。
　
（６）引用発明において、印刷動作状態検出手段は、印刷された用紙における各葉毎の排紙開始及び排紙終了を含む排紙動作状態、印刷動作状態、印刷イメージを取得するものであり、状態情報入出力機構は、「印刷部（プリンタ）」における排紙動作状態、印刷動作状態、印刷イメージを検出するものであり、印刷状態検出処理プログラムにより監視され、該印刷状態検出処理プログラムに、各用紙の排紙毎に、用紙の排紙開始の検出と該用紙の排紙完了の検出を知らせるものであるから、引用発明の「印刷終了検知手段（状態情報入出力機構及び印刷動作状態検出手段）」と本願補正発明の「印刷終了検知手段」とは、「前記１ページ分の出力画像の前記印刷部による印刷が終了したことを検知する」点で一致する。
　
（７）ア　引用発明において、
　状態情報伝送手段は、印刷中の印刷を指示したユーザが利用中の「情報処理装置」に対して、排紙動作状態、印刷動作状態、印刷イメージを、リアルタイムに伝送するものであり、かつ、前記印刷装置において、前記「情報処理装置」におけるユーザの指示に基づいて印刷が行われたならば、「第１の画像生成手段」によって「１ページ分の出力画像」が生成されると、該「生成された１ページ分の出力画像」から、前記「情報処理装置の表示部」で表示可能な、前記「出力画像」に対応する「１ページ分の表示画像」が生成され（上記（５）参照。）、前記「印刷終了検知手段（印刷動作状態検出手段）」により、該印刷の排紙動作状態、印刷動作状態、印刷イメージを取得して、それらの状態を、該印刷を指示したユーザが利用中の前記「情報処理装置」にリアルタイムに伝送するものであって、それらの情報を、「情報処理装置」が受け取ると、その印刷状態表示手段により、該印刷装置の排紙動作および排紙された用紙における印刷イメージをリアルタイムに表示でき、ここで、複数ページの印刷が行われ、排紙の開始・終了が繰り返される場合は、「１ページ分の表示画像（各ページの印刷イメージ）」を繰り返し重ね合わせて表示できるようになっているものであるから、上記状態情報伝送手段は、「１ページ分の出力画像」の印刷が終了し「印刷終了検知手段」が「１ページ分の出力画像」の印刷が終了したことを検知した場合、前記「１ページ分の表示画像」が前記「情報処理装置」において表示されるように、前記「１ページ分の表示画像」を前記「情報処理装置」にリアルタイムに出力するものであるといえる。
　また、印刷状態検出処理プログラムは、前記印刷処理プログラムから「印刷ジョブ（印刷データ）」の発信元アドレスと「印刷ジョブ名（印刷データ名称）」を取得し、該発信元アドレスの「情報処理装置」に対して印刷開始通知と該「印刷ジョブ名」を伝送するものであり、かつ、引用発明は、印刷装置が印刷完了や印刷開始や各ページの印刷の開始や完了などの印刷状態通知を、該印刷出力を指示した情報処理装置に通知し、これらの印刷状態通知を情報処理装置のディスプレイ画面に表示するのものを前提にしているから、上記印刷状態検出処理プログラムは、「印刷ジョブの印刷ジョブ名を情報処理装置において表示されるように、前記情報処理装置に出力する」ものであるといえる。
　そうすると、引用発明の「印刷終了出力手段（状態情報伝送手段及び印刷状態検出処理プログラム）」は、「１ページ分の出力画像」の印刷が終了し「印刷終了検知手段」が「１ページ分の出力画像」の印刷が終了したことを検知した場合、前記「１ページ分の表示画像」が前記「情報処理装置」において表示されるように、前記「１ページ分の表示画像」を前記「情報処理装置」にリアルタイムに出力するとともに、印刷開始通知と「印刷ジョブの印刷ジョブ名」とを「情報処理装置」において表示されるように、前記「情報処理装置」に出力するものであるといえる。
　
　イ　本願補正発明の「前記印刷終了検知手段が前記１ページ分の出力画像の印刷が終了したことを検知した場合、該印刷された１ページ分の出力画像のページ番号及び前記印刷ジョブの印刷ジョブ名を含み且つ該検知に応じて取得された終了情報と、前記１ページ分の表示画像と、が前記情報処理装置において表示されるように、前記１ページ分の表示画像と、前記終了情報と、を対応付けて前記情報処理装置に出力する印刷終了出力手段」との事項は、次の（ア）及び（イ）のいずれにも解し得るところ、本件補正前においては「前記印刷終了検知手段が前記１ページ分の出力画像の印刷が終了したことを検知した場合、前記１ページ分の表示画像と共に、前記１ページ分の出力画像の印刷の終了情報を前記情報処理装置に出力する印刷終了出力手段」と記載されていたから、次の（ア）のとおりに解すると、「前記…が…検知」した場合、「前記…を…に」出力するとの本件補正前の「出力」のタイミングを特定する「前記印刷終了検知手段が前記１ページ分の出力画像の印刷が終了したことを検知した場合、」の記載が、本件補正後では、「前記…が…検知」した場合、「該…が…前記情報処理装置」において表示されるとの「表示」のタイミングを特定する記載に変わってしまい、平成１４年法律第２４号改正附則第２条第１項によりなお従前の例によるとされる同法による改正前の特許法第１７条の２第４項第２号の「特許請求の範囲の減縮」を目的とするものでなくなってしまう。
　したがって、上記１（２）エのとおり、本件補正は、本件補正前の請求項１に記載した発明を特定するために必要な事項について限定するものと解して、すなわち次の（イ）のとおり解して以下対比する。
（ア）「前記印刷終了検知手段が前記１ページ分の出力画像の印刷が終了したことを検知した場合、該印刷された１ページ分の出力画像のページ番号及び前記印刷ジョブの印刷ジョブ名を含み且つ該検知に応じて取得された終了情報と、前記１ページ分の表示画像と、が前記情報処理装置において表示される」ように、「前記１ページ分の表示画像と、前記終了情報と、を対応付けて前記情報処理装置に出力」する「印刷終了出力手段」　
（イ）「前記印刷終了検知手段が前記１ページ分の出力画像の印刷が終了したことを検知した場合、前記１ページ分の表示画像と、前記終了情報と、を対応付けて前記情報処理装置に出力する手段」であって、かつ、「該印刷された１ページ分の出力画像のページ番号及び前記印刷ジョブの印刷ジョブ名を含み且つ該検知に応じて取得された終了情報と、前記１ページ分の表示画像と、が前記情報処理装置において表示されるように、前記情報処理装置に出力する手段」である「印刷終了出力手段」
　
　ウ　上記ア及びイからして、引用発明の「印刷終了出力手段」と本願補正発明の「前記印刷終了検知手段が前記１ページ分の出力画像の印刷が終了したことを検知した場合、該印刷された１ページ分の出力画像のページ番号及び前記印刷ジョブの印刷ジョブ名を含み且つ該検知に応じて取得された終了情報と、前記１ページ分の表示画像と、が前記情報処理装置において表示されるように、前記１ページ分の表示画像と、前記終了情報と、を対応付けて前記情報処理装置に出力する印刷終了出力手段」とは、「前記印刷ジョブの印刷ジョブ名と、前記１ページ分の表示画像と、が前記情報処理装置において表示されるように、前記１ページ分の表示画像と、前記印刷ジョブの印刷ジョブ名と、を前記情報処理装置に出力する」点で一致し、引用発明の「前記印刷ジョブの印刷ジョブ名」と本願補正発明の「前記印刷ジョブの印刷ジョブ名」とは「前記印刷終了検知手段が前記１ページ分の出力画像の印刷が終了したことを検知した場合、前記情報処理装置において表示される」点で一致し、引用発明の「前記１ページ分の表示画像」と本願補正発明の「前記１ページ分の表示画像」とは、同じく「前記印刷終了検知手段が前記１ページ分の出力画像の印刷が終了したことを検知した場合、前記情報処理装置において表示される」点で一致する。
　
（８）上記（１）ないし（７）によれば、本願補正発明と引用発明とは、
「複数ページの印刷出力を指示する印刷ジョブを発行する情報処理装置と通信可能であり、印刷部に出力画像を出力して印刷を行わせる印刷制御装置であって、
　前記情報処理装置から入力される印刷ジョブから、前記印刷部で印刷を行うための出力画像を生成する第１の画像生成手段と、
　前記第１の画像生成手段によって１ページ分の前記出力画像が生成されると、該生成された１ページ分の出力画像から、前記情報処理装置の表示部で表示可能な、前記出力画像に対応する１ページ分の表示画像を生成する第２の画像生成手段と、
　前記１ページ分の出力画像の前記印刷部による印刷が終了したことを検知する印刷終了検知手段と、
　前記印刷ジョブの印刷ジョブ名と、前記１ページ分の表示画像とが前記情報処理装置において表示されるように、前記１ページ分の表示画像と、前記印刷ジョブの印刷ジョブ名と、を前記情報処理装置に出力する印刷終了出力手段と
　を備え、
　前記印刷ジョブの印刷ジョブ名と、前記１ページ分の表示画像とは、前記印刷終了検知手段が前記１ページ分の出力画像の印刷が終了したことを検知した場合、前記情報処理装置において表示される印刷制御装置。」である点で一致し、次の点で相違する。
　
相違点１：
　本願補正発明では、前記印刷終了出力手段が、前記情報処理装置において表示されるように、前記情報処理装置に出力するものに、前記印刷ジョブの印刷ジョブ名、前記１ページ分の表示画像に加え、「該印刷ジョブ名を含み」、「該印刷された１ページ分の出力画像のページ番号」も含み、且つ「該検知に応じて取得」された「終了情報」も含んでおり、これらを「対応付けて」、前記印刷終了検知手段が前記１ページ分の出力画像の印刷が終了したことを検知した場合、出力するのに対して、
　引用発明では、前記印刷終了出力手段は、前記１ページ分の表示画像は、リアルタイムに、すなわち前記１ページ分の出力画像の印刷と同期して前記情報処理装置に出力しており、前記印刷ジョブの印刷ジョブ名（該印刷データ名称）は、印刷開始通知とともに前記情報処理装置に出力（伝送）しており、かつ、出力画像のページ番号については、前記情報処理装置に出力しているかどうかも不明である点。
　
相違点２：
　前記１ページ分の表示画像が、本願補正発明では、「前記出力画像より低解像度の」ものであるのに対して、引用発明においては、その解像度を前記出力画像の解像度と比較した際どちらの解像度が低いか不明である点。
　
５　判断
　上記相違点１及び２について検討する。
（１）相違点１について
　ア　引用発明は、印刷装置が、印刷完了や印刷開始や各ページの印刷の開始や完了などの印刷状態通知を、該印刷出力を指示した情報処理装置に通知する従来のシステムは、
　これらの印刷の開始や完了などの印刷状態通知を通知する時点は、印刷出力を指示した情報処理装置が、文書データから変換された、印刷データの内容を表現する印刷データ名称及び印刷内容を示す印刷データ本体からなり、前記プリンタで印刷する内容が記述されている印刷データの送出を完了した時点や印刷装置が前記印刷データの印刷装置内のメモリへの描画を完了した時点であったので、印刷装置における排紙動作と情報処理装置への印刷状態通知が時間的に正確に一致していないという第１の問題点と、
　これらの印刷状態通知は、状態を示す文字列を情報処理装置のディスプレイ画面の下部に表示することにより為されていたので、文字列のみで通知されるため、印刷装置で実際に印刷さている状態を、該印刷出力を指示した情報処理装置側でユーザが確認することは難しく、印刷装置で実際に印刷された用紙の状態を、情報処理装置側で正確に知ることができないという第２の問題点とがあったので、
　かかる第１の問題点及び第２の問題点を解決し、印刷装置における印刷出力の過程の状態を正確に情報処理装置に通知し、印刷を指示したユーザが、印刷結果の確認を情報処理装置側において容易かつ正確に行なえるようにすることを目的としたものである。
　
　イ　引用発明は、具体的には、
　受信した印刷データを画像メモリに展開し、前記プリンタを制御しながら、該画像メモリの内容を用紙に印刷させ、該発信元アドレスの情報処理装置に対して印刷開始通知と該印刷データ名称を伝送し、
　次に、各用紙の排紙毎に、用紙の排紙開始から該用紙の排紙完了までの間印刷イメージを情報処理装置に伝送し続ける処理を、印刷終了まで繰り返し、該印刷データの印刷を行うためのプリンタの制御が終了したならば、前記情報処理装置に対して印刷終了を通知するようになして、
　複数ページの印刷が行われ、排紙の開始・終了が繰り返される場合は、各ページの印刷イメージを繰り返し重ね合わせて表示でき、印刷装置の排紙動作と情報処理装置への印刷状態通知を時間的に正確に一致させ、
　また、印刷装置で実際に印刷された状態を、情報処理装置側で知ることができるようにしたものである。
　
　ウ　上記アによれば、各ページの印刷の開始や完了の印刷状態を情報処理装置に通知することは、引用発明が前提とする従来技術であり、上記イによれば、引用発明は、まず、印刷データ名称をその印刷データの印刷開始通知と同時に情報処理装置に伝送し、次に、各用紙の排紙毎に、印刷イメージをリアルタイムで情報処理装置に伝送し、前記印刷データの印刷が終了したならば、最後に、情報処理装置に印刷終了通知を伝送するようにしているが、上記ア及びイからして、要は、その情報処理装置への通知の伝送タイミングが、印刷装置の排紙動作と時間的に正確に一致していれば上記第１の問題点を解決することが可能であり、その情報処理装置への通知する情報に各ページの印刷イメージが含まれ、これが情報処理装置において表示されれば上記第２の問題点を解決することが可能であることは当業者に自明である。
　
　エ　また、引用例２（上記３（２）参照。）には、「ページ毎の返信用情報にもドキュメント名を含む」技術事項（【００４８】及び図２参照。）、「印刷ジョブの処理状況を監視し、『１ページ目の印刷が終了しました』との処理メッセージをディスプレイ装置に表示させる」技術事項（【００６４】参照。）、「ページ毎の返信用情報にドキュメント名及びページ番号を含む」技術事項（【０１０４】及び図１９参照。）」「各印刷ページ毎に返信用情報を発行するため、印刷ジョブの進捗状況をページ単位で監視する」技術事項（【００７２】参照。）、「通信トラフィックが増加している場合は、返信用情報を間引き発行させる」技術事項（【００９１】参照。）、「返信用情報の返信について、エンジン制御部からの通知を待って通知する」技術事項（【０１１１】、【０１２１】、【０１２９】〜【０１３５】参照。）などが記載されている。
　
　オ　上記アないしエからして、引用発明において、前記印刷終了出力手段が、前記１ページ分の表示画像を前記情報処理装置に出力するタイミングを、前記印刷終了検知手段が前記１ページ分の出力画像の印刷が終了したことを検知した場合として、通信トラフィックの増加を防止し、かつ、前記情報処理装置において表示されるように前記情報処理装置に出力するものに「該印刷された１ページ分の出力画像のページ番号」と「該検知に応じて取得された終了情報」とを加え、「該印刷された１ページ分の出力画像のページ番号及び前記印刷ジョブの印刷ジョブ名」を該「終了情報」に含め、これを前記１ページ分の表示画像と対応付けて前記情報処理装置に出力し、前記情報処理装置において表示されるようにすること、すなわち、引用発明において、上記相違点１に係る本願補正発明の構成となすことは、当業者が引用例２に記載された事項に基づいて容易になし得た程度のことである。
　
（２）相違点２について
　引用発明は、排紙された用紙における印刷イメージをリアルタイムに表示することにより、印刷装置で実際に印刷された状態を、前記情報処理装置側で知ることができるようにしたものである。
　ここで引用発明の「１ページ分の表示画像」は、その解像度を高くすれば情報処理装置への伝送に時間がかかり、反対にその解像度を低くすればより高速で伝送できることは当業者に自明である。
　また、引用例１の「図１０、図１１、または図１２に示す印刷状態表示ウィンドウ１０１０を表示する。…排紙開始と用紙幅のデータを受信したならば（１０３０）、印刷状態表示ウィンドウ中に、該用紙幅に合わせた用紙端のイメージを、図１０（ａ）のように表示する（１０４０）。次に、印刷イメージと送紙長のデータを受信したならば（１０５０）、該送紙長に従って、印刷イメージのデータを基にして、印刷装置２００から排出される用紙のイメージを、図１０（ｂ）のように表示していく（１０６０）。そして、排紙終了のデータを受信したならば（１０７０）、用紙端のイメージを、図１０（ｃ）のように表示する（１０８０）。なお、複数ページの印刷が行われ、排紙の開始・終了が繰り返される場合は、図１２に示すように各ページの印刷イメージを繰り返し重ね合わせて表示する。なお、これらの用紙の表示は、デフォルトでは、実際の用紙サイズの１／４の縮小スケールで表示するが、この拡大・縮小スケールの値は変更可能である。」（上記３（１）カ【００３１】参照。）の記載及び図１２の記載からみて、引用発明の「１ページ分の表示画像」の表示は、「情報処理装置の表示部」に表示した表示ウィンドウに表示でき、印刷装置で実際に印刷された状態を確認できる解像度であれば十分であり、縮小スケールでの表示でよいものである。
　したがって、引用発明において、「１ページ分の表示画像」を、通信トラフィックの増加の防止（上記（２）オ参照。）を考慮しつつより高速で「情報処理装置」へ伝送し、「情報処理装置の表示部」によりリアルタイムに表示できるようにするために、表示ウィンドウに縮小スケールで表示して実際に印刷された状態を確認できる程度の低い解像度のものとなし、「前記出力画像より低解像度の」ものとすること、すなわち、引用発明において、上記相違点２に係る本願補正発明の構成となすことは、当業者が引用発明１、引用例１に記載された事項及び引用例２に記載された事項に基づいて容易になし得た程度のことである。
　
（３）第２の画像生成手段について
　本願補正発明の第２の画像生成手段は「前記第１の画像生成手段によって１ページ分の前記出力画像が生成されると、該生成された１ページ分の出力画像から、前記情報処理装置の表示部で表示可能な、前記出力画像に対応し且つ前記出力画像より低解像度の１ページ分の表示画像を生成する」ものであるところ、引用発明では、具体的には、受信した印刷データを画像メモリに展開し、前記プリンタを制御しながら、該画像メモリの内容を用紙に印刷させ、用紙の排紙開始から該用紙の排紙完了までの間、排紙された用紙における印刷イメージを印刷状態検出装置で検出して生成されたものであるのに対して、本願明細書の発明の詳細な説明に記載されている発明の実施の形態では、具体的には、印刷部に出力して印刷を行わせた用紙上の出力画像ではなく、印刷部に出力する出力画像から、印刷を介することなく、表示画像を生成するものである点で、異なるものであるが、この点が本願補正発明の構成として特定されたとしても、「印刷部に出力する出力画像から、印刷を介することなく、表示画像を生成する」技術事項は、引用例３に記載されている（上記３（３）参照。）から、この点は、当業者が引用例３に記載された事項に基づいて容易になし得た程度のことである。
　
（４）効果について
　本願補正発明の奏する効果は、引用発明の奏する効果、引用例１に記載の事項の奏する効果、引用例２に記載の事項の奏する効果及び引用例３に記載の事項の奏する効果から、当業者が予測できた程度のものである。
　
（５）まとめ
　以上のとおりであるから、本願補正発明は、当業者が引用例１に記載された発明、引用例１に記載された事項、引用例２に記載された事項及び引用例３に記載された事項に基づいて容易に発明をすることができたものである。
　したがって、本願補正発明は、特許法第２９条第２項の規定により、特許出願の際独立して特許を受けることができないものである。
　
６　小括
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１ないし１３に係る発明は、平成２１年１１月５日付け手続補正によって補正された明細書の特許請求の範囲の請求項１ないし１３に記載された事項によって特定されるものであるところ、請求項１に係る発明（以下「本願発明」という。）は、平成２１年１１月５日付け手続補正によって補正された明細書及び図面の記載からみて、上記「第２〔理由〕１（１）」に本件補正前の請求項１として記載したとおりのものと認める。
　
２　引用例
　原査定の拒絶の理由で引用された引用例及びその記載事項は、前記「第２〔理由〕３」に記載したとおりである。
　
３　対比・判断　
　本願補正発明は、上記「第２〔理由〕２」で述べたとおり、本願発明を特定するために必要な事項について限定を付加したものに相当する。
　そうすると、本願発明の構成要件をすべて含みさらに限定を付加したものに相当する本願補正発明が、前記「第２〔理由〕５」に記載したとおり、当業者が引用例１に記載された発明、引用例１に記載された事項、引用例２に記載された事項及び引用例３に記載された事項に基づいて容易に発明をすることができたものであるから、本願発明も同様の理由により、当業者が引用例１に記載された発明、引用例１に記載された事項、引用例２に記載された事項及び引用例３に記載された事項に基づいて容易に発明をすることができたものである。
　
４　むすび
　本願発明は、当業者が引用例１に記載された発明、引用例１に記載された事項、引用例２に記載された事項及び引用例３に記載された事項に基づいて容易に発明をすることができたものであるから、特許法第２９条第２項の規定により特許を受けることができない。
　よって、結論のとおり審決する。